(57)【要約】【課題】通信装置が制御する他の通信装置の設定情報を、視覚的に認識しながら確実に設定することが可能な設定装置を提供する。【解決手段】ネットワークであるＬＡＮを介して接続されるＰＢＸ制御するＩＰ電話機などの他の通信装置の設定情報を、ＰＢＸに設定する保守端末装置であって、設定画面が表示される表示部と、設定画面の操作を指示する入力部と、設定画面で設定したＩＰ電話機の設定情報をＰＢＸへ送信する通信部と、設定画面を、設定されるＩＰ電話機の種類をアイコンとして表示されるアイコン表示領域と、アイコンが入力部によりドラッグ・アンド・ドロップされると所定の設定値が割り当てられた設定情報が生成される設定領域とに区分して表示部に表示するとともに、生成された設定情報をＰＢＸへ通信部を介して送信する制御部とを備えた。【選択図】図７
2006340039.tif 000002
【特許請求の範囲】
【請求項１】
ネットワークを介して接続される通信装置が制御する他の通信装置の設定情報を、前記通信装置に設定する設定装置であって、
設定画面が表示される表示部と、
前記設定画面の操作を指示する入力部と、
前記設定画面で設定した前記他の通信装置の設定情報を前記通信装置へ送信する通信部と、
前記設定画面を、設定される前記他の通信装置の種類をアイコンとして表示されるアイコン表示領域と、前記アイコンが前記入力部によりドラッグ・アンド・ドロップされると所定の設定値が割り当てられた設定情報を生成して前記アイコンが表示される設定領域とに区分して前記表示部に表示するとともに、生成された設定情報を前記通信装置へ前記通信部を介して送信する制御部とを備えたことを特徴とする設定装置。
【請求項２】
前記制御部は、前記所定の設定値が割り当てられた設定情報を生成するときに、予め設定された設定の範囲内で割り当てることを特徴とする請求項１記載の設定装置。
【請求項３】
前記制御部は、前記設定情報を生成するときに、前記設定の範囲の全ての設定値が既に割り当てられていると、設定不可である旨を前記表示部に表示することを特徴とする請求項２記載の設定装置。
【請求項４】
前記制御部は、前記生成された設定情報を前記通信装置へ送信したときに、当該設定情報が設定不可な旨の応答を受信すると、設定不可である旨を前記表示部に表示することを特徴とする請求項１から３のいずれかの項に記載の設定装置。
【請求項５】
前記制御部は、前記設定領域をグループごとのグループ設定領域に区分して表示し、前記グループ設定領域に前記アイコンがドラッグ・アンド・ドロップされると、前記グループに応じた設定情報を生成し、当該設定情報とともに前記グループに応じたグループ情報を前記通信装置に送信することを特徴とする請求項１から４のいずれかの項に記載の設定装置。
【請求項６】
通信装置が制御する他の通信装置の設定情報を設定する設定画面が表示される表示部と、
前記設定画面の操作を指示する入力部と、
前記設定画面で設定した前記設定情報をネットワークを介して接続される通信装置へ送信して設定させる通信部とを有する設定装置の設定方法であって、
前記設定画面を、設定される前記他の通信装置の種類をアイコンとして表示されるアイコン表示領域と、設定情報が生成される設定領域とに区分して表示部に表示し、
前記入力部により前記アイコンが前記アイコン表示領域から前記設定領域にドラッグ・アンド・ドロップされると所定の設定値を割り当てた設定情報を生成し、
生成された設定情報を前記通信装置へ前記通信部を介して送信することを特徴とする設定装置の設定方法。
【請求項７】
前記所定の設定値を割り当てた設定情報を生成するときに、予め設定された設定値の範囲内で割り当てることを特徴とする請求項６記載の設定装置の設定方法。
【請求項８】
前記設定情報を生成するときに、前記設定の範囲の全ての設定値が既に割り当てられていると、設定不可である旨を前記表示部に表示することを特徴とする請求項７記載の設定装置の設定方法。
【請求項９】
前記設定情報を前記通信装置へ送信したときに、当該設定情報が設定不可な旨の応答を受信すると、設定不可である旨を前記表示部に表示することを特徴とする請求項６から８のいずれかの項に記載の設定装置の設定方法。
【請求項１０】
前記設定領域をグループごとのグループ設定領域に区分して表示し、前記グループ設定領域に前記アイコンがドラッグ・アンド・ドロップされると、前記グループに応じた設定情報を生成し、当該設定情報とともに前記グループに応じたグループ情報を前記通信装置に送信することを特徴とする請求項６から９のいずれかの項に記載の設定装置の設定方法。
【請求項１１】
コンピュータを、前記請求項１から５のいずれかの項に記載の設定装置として機能させるための設定プログラム。
【発明の詳細な説明】
【技術分野】
【０００１】
本発明は、ネットワークを介して接続される通信装置が制御する他の通信装置の設定情報を、通信装置に設定する設定装置、設定方法および設定プログラムに関する。
【背景技術】
【０００２】
通信装置の一つである交換機（以下、ＰＢＸと称す。）は、このＰＢＸに接続される内線電話機などの設定情報を有しており、外線や内線からの着信をこの設定を参照しながら配信している。例えばネットワークを経由してＰＢＸに接続されるＩＰ（Internet Protocol）電話機の場合では、ＰＢＸ側に接続されるＩＰ電話機の内線番号やＩＰアドレスなどの設定情報を有している。
【０００３】
この設定情報は、設定装置として保守端末装置をＬＡＮ（Local Area Network）に接続し、保守端末装置からＰＢＸへアクセスして、接続されるＩＰ電話機に対応付けた設定情報が記載されたシステム構成図を設定者が参照しながら手操作で行われる。しかし、設定情報は数字の羅列であるため、設定された設定情報がＩＰ電話機にどのように対応付けられているのか、理解しにくい面がある。
【０００４】
このような設定情報を視覚的に理解しやすいようＧＵＩ（Graphical User Interface）を用いた設定装置が、スキャナやプリンタなどの周辺機器の各機能を組み合わせた複合機能を設定するものではあるが（特許文献１）に記載されている。
【０００５】
この（特許文献１）に記載のデータ処理装置は、ネットワークを介して取得した各周辺機器の機能情報および接続情報に基づいてシステム構成を表示し、マウス操作により、例えばスキャナアイコンをプリンタアイコン上にドラッグ・アンド・ドロップ操作すると、その組み合わせ機能の設定画面を表示して、その設定画面で組み合わせ機能の設定ができるようにしたものである。
【特許文献１】特開２０００−３１５１８１号公報
【発明の開示】
【発明が解決しようとする課題】
【０００６】
（特許文献１）に記載のデータ処理装置では、各周辺機器の有する機能を組み合わせた組み合わせ機能を容易にかつ効率よく設定できるものであるが、ＰＢＸのような通信装置の場合では、他の通信装置であるＩＰ電話機の設定情報が容易に、かつ確実に設定できる必要がある。
【０００７】
そこで本発明は、通信装置が制御する他の通信装置の設定情報を、視覚的に認識しながら確実に設定することが可能な設定装置、設定方法および設定プログラムを提供することを目的とする。
【課題を解決するための手段】
【０００８】
本発明は、ネットワークを介して接続される通信装置が制御する他の通信装置の設定情報を、前記通信装置に設定するにあたって、表示部に表示される設定画面を、設定される他の通信装置の種類をアイコンとして表示されるアイコン表示領域と、アイコンが入力部によりドラッグ・アンド・ドロップされると所定の設定値が割り当てられた設定情報が生成される設定領域とに区分して表示し、生成された設定情報を通信装置へ通信部を介して送信することを特徴とする。
【発明の効果】
【０００９】
本発明は、アイコン表示領域に表示されたアイコンを設定領域にドラッグ・アンド・ドロップするだけで、所定の設定値が割り当てられた設定情報を生成して表示部に表示するとともに、生成された設定情報を通信装置へ通信部を介して送信するので、他の通信装置の設定情報を視覚的に認識しながら通信装置に確実に設定することができる。
【発明を実施するための最良の形態】
【００１０】
本願の第１の発明は、ネットワークを介して接続される通信装置が制御する他の通信装置の設定情報を、通信装置に設定する設定装置であって、設定画面が表示される表示部と、設定画面の操作を指示する入力部と、設定画面で設定した他の通信装置の設定情報を通信装置へ送信する通信部と、設定画面を、設定される他の通信装置の種類をアイコンとして表示されるアイコン表示領域と、アイコンが入力部によりドラッグ・アンド・ドロップされると所定の設定値が割り当てられた設定情報を生成して前記アイコンが表示される設定領域とに区分して表示部に表示するとともに、生成された設定情報を通信装置へ通信部を介して送信する制御部とを備えたことを特徴としたものである。
【００１１】
制御部が、設定画面を、アイコン表示領域と、設定領域とに区分して表示部に表示する。設定領域には、設定される他の通信装置の種類がアイコンとして表示されているので、設定者は通信装置の種類に応じたアイコンを視覚的に認識しながら入力部でドラッグすることができる。また、設定領域に、このドラッグしたアイコンをドロップすると、制御部が、所定の設定値が割り当てられた設定情報を生成して表示部に表示するとともに、生成された設定情報を通信装置へ通信部を介して送信するので、他の通信装置の設定情報を通信装置に確実に設定することができる。
【００１２】
本願の第２の発明は、制御部は、所定の設定値が割り当てられた設定情報を生成するときに、予め設定された設定の範囲内で割り当てることを特徴としたものである。
【００１３】
制御部が、所定の設定値が割り当てられた設定情報を生成するときに、予め設定された設定の範囲内で割り当てるので、ネットワークのシステム構成に合致した設定情報が設定できる。
【００１４】
本願の第３の発明は、制御部は、設定情報を生成するときに、設定の範囲の全ての設定値が既に割り当てられていると、設定不可である旨を表示部に表示することを特徴としたものである。
【００１５】
制御部が、設定情報を生成するときに、所定の範囲の全ての設定値が既に割り当てられていると、設定不可である旨を表示部に表示するので、設定者が設定領域にアイコンをドラッグ・アンド・ドロップする数が所定の範囲を超えてしまっていることを即座に認識することができる。
【００１６】
本願の第４の発明は、制御部は、生成された設定情報を通信装置へ送信したときに、当該設定情報が設定不可な旨の応答を受信すると、設定不可である旨を表示部に表示することを特徴としたものである。
【００１７】
制御部が、生成された設定情報を通信装置へ送信したときに、この設定情報が設定不可な旨の応答を受信すると、設定不可である旨を表示部に表示するので、設定情報が通信装置側で設定できない状態の値であることが即座に認識することができる。
【００１８】
本願の第５の発明は、制御部は、設定領域をグループごとのグループ設定領域に区分して表示し、グループ設定領域にアイコンがドラッグ・アンド・ドロップされると、グループに応じた設定情報を生成し、当該設定情報とともにグループに応じたグループ情報を通信装置に送信することを特徴としたものである。
【００１９】
制御部が、設定領域をグループごとのグループ設定領域に区分して表示しているので、他の接続装置をグループ分けして設定する場合でも、設定者はそのグループを容易に認識することができる。そして、制御部が、グループ設定領域にアイコンがドラッグ・アンド・ドロップされると、グループに応じた設定情報を生成し、設定情報とともにグループに応じたグループ情報を通信装置に送信するので、グループごとの設定が確実に設定することができる。
【００２０】
本願の第６の発明は、通信装置が制御する他の通信装置の設定情報を設定する設定画面が表示される表示部と、設定画面の操作を指示する入力部と、設定画面で設定した設定情報をネットワークを介して接続される通信装置へ送信して設定させる通信部とを有する設定装置の設定方法であって、設定画面を、設定される他の通信装置の種類をアイコンとして表示されるアイコン表示領域と、設定情報が生成される設定領域とに区分して表示部に表示し、入力部によりアイコンがアイコン表示領域から設定領域にドラッグ・アンド・ドロップされると所定の設定値を割り当てた設定情報を生成し、生成された設定情報を通信装置へ通信部を介して送信することを特徴としたものである。
【００２１】
設定画面が、アイコン表示領域と、設定領域とに区分して表示部に表示される。設定領域には、設定される他の通信装置の種類がアイコンとして表示されているので、設定者は通信装置の種類に応じたアイコンを視覚的に認識しながら入力部でドラッグすることができる。また、設定領域に、このドラッグしたアイコンをドロップすると、所定の設定値が割り当てられた設定情報が生成して、表示部に表示するとともに、生成された設定情報を通信装置へ通信部を介して送信するので、他の通信装置の設定情報を通信装置に確実に設定することができる。
【００２２】
本願の第７の発明は、所定の設定値を割り当てた設定情報を生成するときに、予め設定された設定値の範囲内で割り当てることを特徴としたものである。
【００２３】
所定の設定値を割り当てた設定情報を生成するときに、予め設定された設定の範囲内で割り当てるので、ネットワークのシステム構成に合致した設定情報が設定できる。
【００２４】
本願の第８の発明は、設定情報を生成するときに、設定の範囲の全ての設定値が既に割り当てられていると、設定不可である旨を表示部に表示することを特徴としたものである。
【００２５】
設定情報を生成するときに、所定の範囲の全ての設定値が既に割り当てられていると、設定不可であることが表示部に表示されるので、設定者が設定領域にアイコンをドラッグ・アンド・ドロップする数が所定の範囲を超えてしまっていることを即座に認識することができる。
【００２６】
本願の第９の発明は、設定情報を通信装置へ送信したときに、当該設定情報が設定不可な旨の応答を受信すると、設定不可である旨を表示部に表示することを特徴としたものである。
【００２７】
生成された設定情報を通信装置へ送信したときに、この設定情報が設定不可な旨の応答を受信すると、設定不可であることが表示部に表示されるので、設定情報が通信装置側で設定できない状態の値であることが即座に認識することができる。
【００２８】
本願の第１０の発明は、設定領域をグループごとのグループ設定領域に区分して表示し、グループ設定領域にアイコンがドラッグ・アンド・ドロップされると、グループに応じた設定情報を生成し、当該設定情報とともにグループに応じたグループ情報を通信装置に送信することを特徴としたものである。
【００２９】
設定領域をグループごとのグループ設定領域に区分して表示することで、他の接続装置をグループ分けして設定する場合でも、設定者はそのグループを容易に認識することができる。そして、グループ設定領域にアイコンがドラッグ・アンド・ドロップされると、グループに応じた設定情報が生成され、設定情報とともにグループに応じたグループ情報が通信装置に送信されるので、グループごとの設定が確実に設定することができる。
【００３０】
本願の第１１の発明は、コンピュータを、本願の第１から５のいずれかの設定装置として機能させるための設定プログラムとしたものである。
【００３１】
コンピュータを、本願の第１から５のいずれかの設定装置として機能させるので、容易で、かつ確実な設定を行う設定装置として動作させることができる。
【００３２】
（実施の形態）
本発明の実施の形態に係る設定装置と通信装置としてＰＢＸを備えた交換機システムを、設定装置として保守端末装置、ＰＢＸが制御する他の通信装置としてＩＰ電話機を例に、図１から図２に基づいて説明する。図１は、本発明の実施の形態に係る交換機システムの構成の一例を説明する図である。図２は、図１の保守端末装置の構成を説明する図である。
【００３３】
まず本発明の実施の形態に係る交換機システムを図１に基づいて説明する。図１に示すように、交換機システム１は、ＰＢＸ２と、ＩＰ電話機３と、保守端末装置４とが、ネットワークとしてＬＡＮ５で接続されている。ＰＢＸ２は、ＬＡＮ５を介して、外線からの着信、または内線からの着信を内線へ配信したり、内線からの発信を外線へ配信したりする。ＰＢＸ２は、この内線としてＬＡＮ５を介してＩＰ電話機３を制御している。
【００３４】
ＩＰ電話機３は、これから新設するもので、まだＬＡＮのＩＰアドレスや内線番号が割り振られていない状態である。このＩＰアドレスや内線番号が、ＰＢＸ２に設定されることで、ＰＢＸ２での配信が行われる。従って、ＩＰ電話機３は、図１においてはＬＡＮ５に接続されている状態が図示されているが、これから接続されるものもある。
【００３５】
なお図１においては、ＰＢＸ２には他の通信装置としてＩＰ電話機３が３台接続されているが４台以上接続が可能であり、後述するボイスメールを送信するメールサーバや、ドアホン装置や、ネットワークカメラや、異常を検知すると発信するセンサなど、ＰＢＸ２が制御可能な通信装置であれば接続が可能である。また、図１ではハブなどの集線装置や、外部と通信するためのルータなどの中継装置は図示していない。
【００３６】
保守端末装置４は、ＰＢＸ２が制御する通信装置の設定情報をＰＢＸ２に設定して設定情報を生成する設定装置として機能するパーソナルコンピュータである。ここで保守端末装置４の構成について図２に基づいて詳細に説明する。
【００３７】
保守端末装置４は、表示部１０と、入力部１１と、通信部１２と、記憶部１３と、制御部１４とを備えている。表示部１０は、ＣＲＴ（Cathode Ray Tube）や、ＬＣＤ（Liquid Crystal Display）や、ＰＤＰ（Plasma Display Panel）などの表示手段が使用できる。この表示部１０にＧＵＩで表示された設定画面が表示されることで設定者は、内容を確認しながら入力部１１を操作する。
【００３８】
入力部１１としては、ＧＵＩで表示される設定画面をポイントするため、マウス、ジョイスティック、トラックボールなどのポインティングデバイスや、キーボードなどを使用するのが望ましい。 この入力部１１を設定者が操作して、設定画面に表示されたアイコンをドラッグ・アンド・ドロップしたり、設定値の設定範囲を入力したりする。
【００３９】
通信部１２は、ＬＡＮ５と接続してＰＢＸ２と通信するためのインタフェースで、１００ＢＡＳＥ−Ｔなどが使用できる。また本実施の形態では有線でＰＢＸ２と接続しているが、ＰＢＸ２が無線で通信可能であれば、通信部１２を無線ＬＡＮとすることもできる。また、通信部１２として、ＰＢＸ２に直接接続するような、ＵＳＢ（Universal Serial Bus）やシリアルインタフェースであるＲＳ−２３２Ｃや、双方向パラレルインタフェースなどとすることも可能である。
【００４０】
記憶部１３は、メモリ部１３ａと、ハードディスクドライブ１３ｂと、ＣＤ−ＲＯＭ部１３ｃを備えている。メモリ部１３ａは、電源投入時に初期診断を行うプログラムや、ハードディスクドライブ１３ｂからＯＳ（Operating System）を読み込むブートストラッププログラムなどが格納されたＲＯＭ（Read Only Memory）と、ＯＳや設定プログラムなどのアプリケーションプログラムを展開し、実行し、あるいはＯＳやアプリケーションプログラムが作業領域として使用したりする読み書き可能なＲＡＭ（Random Access Memory）とを備えている。
【００４１】
ハードディスクドライブ１３ｂは、ＯＳやアプリケーションプログラムがインストールされている大容量記憶手段である。また設定プログラムが生成する設定情報が蓄積される領域も確保されている。
【００４２】
ＣＤ−ＲＯＭ部１３ｃは、設定プログラムが格納されたＣＤ−ＲＯＭを実装してインストールする際に使用される。この設定プログラムのインストールは、設定プログラムが格納されたコンピュータ読み取り可能な記録媒体が、フレキシブルディスクであればフレキシブルディスクドライブ、ＤＶＤ（Digital Versatile Disk）であればＤＶＤドライブ、不揮発性メモリで構成されるコンパクトフラッシュ（登録商標）や、ＳＤ（Secure Digital）メモリカードであればメモリカードスロットとして、ＣＤ−ＲＯＭ部１３ｃを省力することも可能である。また通信部１２経由でインストールする場合も同様である。
【００４３】
制御部１４は、ＣＰＵ（Central Processing Unit）とタイミング制御回路とで構成され、保守端末装置４の全体を統括制御するものである。制御部１４にて設定プログラムを実行することで設定画面を表示部１０に表示したり、入力部１１の操作に応じて設定画面の表示を行ったり、設定情報を生成したりする。また、制御部１４は、通信部１２を介してＰＢＸ２と通信する。
【００４４】
以上のように構成される本発明の実施の形態に係る設定装置である保守端末装置４の動作を、まずは保守端末装置４とＰＢＸ２をオンラインで接続した状態で設定する場合について、更に図３から図１５に基づいて説明する。
【００４５】
図３は、図２の保守端末装置の動作を説明するフローチャートである。図４は、図２のの表示部に表示された設定画面を示す図である。図５は、操作者がログインする際の設定画面を示す図である。図６は、設定情報の読み込みを行うときの設定画面を示す図である。図７は、図２の表示部に表示されるＰＢＸに設定情報がないときの設定画面を示す図である。図８は、ＰＢＸから保守端末装置へ設定情報が送信される状態を説明する図である。図９は、ＰＢＸから読み込まれた設定情報を表示したときの設定画面を示す図である。図１０は、ＩＰ電話機を増設するときの設定画面を示す図である。図１１は、ツールバー内のアイコンをグループ設定枠内に設定するときの設定画面を示す図である。図１２は、設定された設定情報の正当性を確認する状態を示す図である。図１３は、設定不可である旨の表示がされる設定画面を示す図である。図１４は、設定情報が確定されて表示されたときの設定画面を示す図である。図１５は、設定の範囲を入力するときの設定画面を示す図である。
【００４６】
図３に示すように、まず保守端末装置４の入力部１１を操作して、設定プログラム実行する。設定プログラムが実行されると制御部１４は、表示部１０に設定画面を表示する。このときの設定画面を図４に示す。
【００４７】
図４に示すように、設定プログラムが実行されたときの設定画面は、設定される通信装置の種類をアイコンとして表示されるアイコン表示領域にツールバー２０が、表示部１０の上部に表示されている。
【００４８】
ツールバー２０には、通信装置を模したアイコンが表示されている。アイコンは、ＰＢＸ２である「IP-PBX」、ＩＰ電話機３として「IP-Phone１」，「IP-Phone２」、異常を検知するセンサとして「Sensor」、ネットワークカメラとして「IP-Camera」、ドアホン装置として「Door-Phone」、メールサーバとして「Mail-Serve」などが用意されている。
【００４９】
また、ＰＢＸ２に設定されている設定情報を読み出すときに読み出し要求を送信する契機となるロードボタン「Load」や、設定情報を設定して完了したときにＰＢＸ２へ送信する契機となる送信ボタン「Set」のアイコンも用意されている。
【００５０】
ＩＰ電話機３としてのアイコン「IP-Phone１」，「IP-Phone２」は、ＩＰ電話機３がＰＢＸ２と通信するプロトコルごとに用意するのが望ましい。例えば、アイコン「IP-Phone１」は、ＳＩＰ（Session Initiation Protocol）や、ＭＧＣＰ（Media Gateway Control Protocol）や、Ｈ．３２３などとすることができる。
【００５１】
図３に示すように、設定者はＰＢＸ２にログインを行う（Ｓ２０）。これは設定する資格を有した設定者であるか否かをＰＢＸ２側で認証させることで、悪意のある設定者を排除するためである。このときの設定画面を図５に示す。
【００５２】
図５に示すように、制御部１４は、設定画面の中央部にポップアップ画面で認証のためのログインウィンドウを表示部１０に表示する。設定者は予め定められたユーザＩＤと、パスワードとをこのログインウィンドウに入力部１１のキーボードを操作して入力する。
【００５３】
図３に示すように、設定者は、ＰＢＸ２に設定された既存の設定情報を変更する場合や、どのような設定情報がＰＢＸ２に設定されているか再確認する場合に、ロードボタン「Load」を入力部１１のマウスを操作して押下する（図６参照）。ロードボタン「Load」の押下を入力部１１から制御部１４へ通知されると、制御部はＰＢＸ２に設定情報の要求通知を送信する（Ｓ３０）。
【００５４】
そしてＳ４０にて設定情報としてのデータがあるか否かを判定する（Ｓ４０）。ＰＢＸ２から設定情報が設定されていない旨の応答があると、制御部１４は、図７に示すような設定情報がない旨の表示である「Ｎｏ  Ｄａｔａ」のポップアップウィンドウを表示部１０に表示してＳ５０へ移行する。
【００５５】
ＰＢＸ２に既に設定情報が設定されている場合には、Ｓ６０へ移行して図８に示すようにＰＢＸ２から設定情報の要求通知に応じて設定情報が送信され、保守端末装置４に読み込まれる。読み込まれた設定情報に応じて制御部１４は、設定画面にその内容を表示部１０に表示する。このときの設定画面を図９に示す。
【００５６】
図９に示される設定画面は、アイコン表示領域に表示されたツールバー２０の他に、通信装置をグループごと区分するグループ設定領域を示すグループ設定枠２１と、フロアーごとの設定を行うフロアー設定領域を示すフロアー設定枠２２とが表示されている。
【００５７】
グループ設定枠２１は、ＰＢＸ２がグループ着信やピックアップグループを行うためのグループの区分を示すものであり、図９においては「Ｇｒｏｕｐ１」から「Ｇｒｏｕｐ６」までが図示されている。これ以上のグループを表示するときには、設定画面の右側のスクロールバー（図示せず）を、入力部１１を操作して表示させることができる。
【００５８】
そして各グループ設定枠２１内には、そのグループに割り当てられる設定値の設定の範囲が表示されている。例えば「Ｇｒｏｕｐ１」では、内線番号が「４１０から４１９」が割り当てられる。またＩＰアドレスも設定される範囲が内線番号の下側に表示されている。そして既に設定されたＩＰ電話機３のアイコンが２台ほど表示され、それぞれ内線番号「４１１」と「４１２」と、ＩＰアドレスとが設定され、表示されている。
【００５９】
フロアー設定枠２２は、ＰＢＸ２および他の通信装置が設置される建物のフロアーの区分を示したもので、図９ではグループ設定枠２１の右側から突出した略三角形状の頂点が４階を指し示すことで、設定者に４階のフロアーに設置される通信装置の設定を行っていることを認識させている。各フロアー設定枠２２内には、そのフロアーに割り当てられる設定値の設定の範囲が表示されている。例えば４階である「４Ｆ」では内線番号「４００」から「４９９」が割り当てられる。またＩＰアドレスも設定される範囲が内線番号の下側に表示されている。
【００６０】
図３に戻って、Ｓ６０ではＰＢＸ２から送信された設定情報に基づいて編集を行う。例えば、４階のフロアーのグループ５にＩＰ電話機３を増設する場合を図１０に示す。
【００６１】
図１０に示すように、設定者は、入力部１１を操作してツールバー２０に表示されたＩＰ電話機３としてのアイコン「IP-Phone１」をドラッグして、グループ設定枠２１の「グループ５」まで移動させる。そしてグループ設定枠２１の「グループ５」までアイコン「IP-Phone１」を移動させるとドロップする。制御部１４は、ドロップされたことを検出すると、図１１に示すようにアイコン「IP-Phone１」のＩＰ電話機３には内線番号「４５１」およびＩＰアドレスが、内線番号の設定の範囲「４５０」〜「４５９」で未だ割り当てられていない内線番号を生成する。またＩＰアドレスも「Ｇｒｏｕｐ５」に割り当てられた範囲内で生成する。例えば、既に「Ｇｒｏｕｐ５」において、ＩＰ電話機３のアイコンをドロップしたときに、既に全ての内線番号およびＩＰアドレスを、設定の範囲内で割り当て済みであると、ポップアップウィンドウで警告を設定画面に表示させることもできる。そうすることで、設定者は、誤設定したことに気が付き再度設定し直すことができる。
【００６２】
図３のＳ７０にて保守端末装置４の制御部１４は、この設定情報をＰＢＸ２へ送信する。この設定情報は、設定された通信装置がＩＰ電話機３であることと、内線番号、ＩＰアドレスと合わせて、グループが「Ｇｒｏｕｐ５」であることを含まれている。
【００６３】
ＰＢＸ２は、受信したＩＰ電話機３の設定情報が異常な設定値であるか否かの判定をして正常であれば正常である旨の通知を、異常であれば異常である旨の通知を設定結果通知として保守端末装置４へ送信する。そして保守端末装置４は、この設定結果通知に基づいて設定情報の正当性の判定を行う（Ｓ８０）。このときの通信の状態を図１２に示す。設定プログラムは、逐次通信装置の設定情報を生成してＰＢＸ２に送信して正当性を確認しているので、全体の設定が完了してから設定情報の誤りに気が付き大幅な修正を余儀なくされることを防止することができる。
【００６４】
図３のＳ８０にて設定情報が異常であれば、図１３に示すような設定不可である旨が表示部１０にポップアップウィンドウとして表示される。設定者は、設定された設定情報の異常に、ポップアップウィンドウで気が付くので、Ｓ６０へ移行して再度設定をやり直す。
【００６５】
Ｓ８０にて結果が正常であれば、図１４に示すように、グループ設定枠２１の「Ｇｒｏｕｐ５」にＩＰ電話機３を示すアイコンに内線番号「４５１」およびＩＰアドレスが付与されて確定する。そして設定者は、設定を完了したことでログアウトして終了する（Ｓ９０）。
【００６６】
Ｓ４０にて、ＰＢＸ２から設定情報が設定されていない旨の応答があるとＳ５０へ移行し、図７に示すような設定情報がない旨の表示がされると、設定情報を割り当てる設定の範囲から設定する必要がある。そこで設定者は、設定の範囲を設定したいグループ設定枠２１をクリックすることで、入力部１１のキーボードから設定の範囲を設定することが可能となる（Ｓ５０）。このときの設定画面を図１５に示す。
【００６７】
図１５では、設定者が２階である「２Ｆ」のグループ「Ｇｒｏｕｐ２」の内線番号をＩＰアドレスの設定の範囲を設定している状態を示している。またツールバー２０には、フロアー設定枠２２を設定するためのアイコンや、グループ設定枠２１を設定するためのアイコンが用意され、それぞれ、フロアー設定領域、グループ設定領域にドラッグ・アンド・ドロップすることで増やすことができる。
【００６８】
そして設定の範囲をそれぞれ設定すると、その設定情報をＰＢＸ２へ送信する（Ｓ１００）。  そしてＰＢＸ２から設定結果通知の応答があると、設定結果の判定を制御部１４が行う（Ｓ１１０）。設定結果が正常であれば、Ｓ６０へ移行して、ＩＰ電話機３などの設定を行う。この場合では図１０で示す設定画面に１台も通信装置が未設定の状態から行うことになる。
【００６９】
Ｓ５０にて入力した設定の範囲が、ＰＢＸ２が許容している範囲を超えているような場合にはＳ１１０にて設定結果が、設定不可の旨の応答となるので、設定の範囲を再度入力し直す（Ｓ１２０）。そしてＳ１００へ移行してＰＢＸ２での判定を行う。
【００７０】
このように、通信装置を模したアイコンをドラッグ・アンド・ドロップすることで設定情報が自動的に、予め設定された設定の範囲内で割り当てられるので、誤設定を防止することができる。また、設定された設定情報は逐次設定先であるＰＢＸ２に、その設定値の正当性を確認しているので、誤設定であるか否かが即時に判断することができる。
【００７１】
これまでは保守端末装置４と、設定先であるＰＢＸ２とをオンラインで接続した状態で設定する場合について説明した。次に保守端末装置４をオフラインとして、設定情報を予め全て作成する場合について、更に図１６および図１７に基づいて説明する。図１６は、図１の保守端末装置の動作を説明するフローチャートである。図１７は、全ての設定情報の正当性を確認する状態を示す図であって、設定された全ての設定情報を保守端末装置４からＰＢＸ２へ送信して、全ての設定情報の正当性を確認する状態を説明している。
【００７２】
図１６に示すように、まずは初期設定であるか否かで設定者の操作が異なる。つまりグループの区分の設定や、フロアーの区分の設定や、設定情報の設定の範囲などが既に設定されているか否かで異なる（Ｓ２００）。
【００７３】
Ｓ２１０へ移行して初期設定を行う。この初期設定は、図３のＳ５０で行った操作で、図１５に示すようにグループの区分の設定や、フロアーの区分の設定や、設定情報の設定の範囲を設定するものである。
【００７４】
Ｓ２１０にて、設定の範囲が設定されると、各フロアーの各グループに配置される通信装置、例えばＩＰ電話機３などの設定情報を設定する。これは、図１７で示すようにＩＰ電話機３を模したアイコンを入力部１１でドラッグして、所定のフロアー設定枠２２内にドロップすることで制御部１４により設定情報が生成される。設定者は、これを各グループ、各フロアーで行う（Ｓ２２０）。
【００７５】
設定が完了すれば、設定者はＰＢＸ２に保守端末装置４からログインしてオンラインとする（Ｓ２３０）。ログインは、図５に示すようにＩＤとパスワードを入力して行われる。
【００７６】
ＰＢＸ２での認証が得られれば、設定情報の送信を行う。例えば、図９に示すようにツールバー２０の送信ボタン「Set」を入力部１１で押下することで、設定情報がＰＢＸ２へ送信される。このときの設定情報は、Ｓ２２０で設定されて各グループおよび各フロアーの全ての通信装置が対象となる（Ｓ２４０）。このときの通信の状態を図１２に示す。このように、設定情報を一括してオフラインで設定してまとめて送信することができるので、ＰＢＸ２が設置されている場所まで赴かなくても、予めＳ２００からＳ２２０までを別の場所で設定ができる。
【００７７】
そして図１２に示すように、全ての設定情報の送信が完了すると、ＰＢＸ２からその設定情報について正当性が判断される。そしてＰＢＸ２から設定結果通知の応答があると、設定結果の判定を制御部１４が行う（Ｓ２５０）。設定結果が正常であれば、Ｓ２６０へ移行してログアウトして設定作業を完了する。もし設定結果通知が異常の旨の応答であれば、異常である設定情報をＳ２７０にて修正して、Ｓ２４０へ移行する。
【００７８】
次に、Ｓ２００にて初期設定が完了している場合には、設定者はＰＢＸ２にログインする（Ｓ３００）。そして既存の設定情報の読み込みを行う。これは図６に示されるようにツールバー２０のロードボタン「Load」を入力部１１で押下することで、ＰＢＸ２からの読み込みが行われる（Ｓ３１０）。
【００７９】
設定情報の読み込みがＰＢＸ２から行われると、オンラインで作業するときはこのまま設定情報の追加・変更を行うこととなるが、オフラインで作業するときはログアウトする（Ｓ３２０）。
【００８０】
そして、ＰＢＸ２から読み込んだ設定情報の追加や変更を行う（Ｓ３３０）。この作業は、ログアウトしたそのままの状態（ＰＢＸ２とＬＡＮ５を介して接続した状態）としてもよいし、ＰＢＸ２が設定されている場所から退出して他の場所へ移動してもよい。つまり、設定情報を設定する時間の制約や、場所の制約を受けにくい他の場所で追加・修正が行うことができるので、利便性が高い。設定情報の追加や修正が完了すると、Ｓ２３０へ移行して、引き続いてＳ２４０で全ての設定情報の送信を行いＰＢＸ２へその設定情報の正当性を確認することとなる。以下、Ｓ２５０以降上述したので省略する。
【００８１】
以上のように本発明の実施の形態に係る設定装置である保守端末装置４によれば、ＰＢＸ２が制御する他の通信装置、例えばＩＰ電話機３や、センサや、ネットワークカメラなどを模したアイコンを入力部１１のマウス等を操作して、ＧＵＩで表示された設定画面を視覚的に認識しながら設定情報を設定することが可能なので、容易に、かつ確実に設定することが可能である。
【産業上の利用可能性】
【００８２】
本発明は、通信装置が制御する他の通信装置の設定情報を、視覚的に認識しながら確実に設定することが可能なので、ネットワークを介して接続される通信装置が制御する他の通信装置の設定情報を、通信装置に設定する設定装置に好適である。
【図面の簡単な説明】
【００８３】
【図１】本発明の実施の形態に係る交換機システムの構成の一例を説明する図
【図２】図１の保守端末装置の構成を説明する図
【図３】図２の保守端末装置の動作を説明するフローチャート
【図４】図２のの表示部に表示された設定画面を示す図
【図５】操作者がログインする際の設定画面を示す図
【図６】設定情報の読み込みを行うときの設定画面を示す図
【図７】図２の表示部に表示されるＰＢＸに設定情報がないときの設定画面を示す図
【図８】ＰＢＸから保守端末装置へ設定情報が送信される状態を説明する図
【図９】ＰＢＸから読み込まれた設定情報を表示したときの設定画面を示す図
【図１０】ＩＰ電話機を増設するときの設定画面を示す図
【図１１】ツールバー内のアイコンをグループ設定枠内に設定するときの設定画面を示す図
【図１２】設定された設定情報の正当性を確認する状態を示す図
【図１３】設定不可である旨の表示がされる設定画面を示す図
【図１４】設定情報が確定されて表示されたときの設定画面を示す図
【図１５】設定の範囲を入力するときの設定画面を示す図
【図１６】図１の保守端末装置の動作を説明するフローチャート
【図１７】全ての設定情報の正当性を確認する状態を示す図
【符号の説明】
【００８４】
１    交換機システム
２    ＰＢＸ
３    ＩＰ電話機
４    保守端末装置
５    ＬＡＮ
１０    表示部
１１    入力部
１２    通信部
１３    記憶部
１３ａ    メモリ部
１３ｂ    ハードディスクドライブ
１３ｃ    ＣＤ−ＲＯＭ部
１４    制御部
２０    ツールバー
２１    グループ設定枠
２２    フロアー設定枠
【図１】
2006340039.tif 000003
【図２】
2006340039.tif 000004
【図３】
2006340039.tif 000005
【図４】
2006340039.tif 000006
【図５】
2006340039.tif 000007
【図６】
2006340039.tif 000008
【図７】
2006340039.tif 000009
【図８】
2006340039.tif 000010
【図９】
2006340039.tif 000011
【図１０】
2006340039.tif 000012
【図１１】
2006340039.tif 000013
【図１２】
2006340039.tif 000014
【図１３】
2006340039.tif 000015
【図１４】
2006340039.tif 000016
【図１５】
2006340039.tif 000017
【図１６】
2006340039.tif 000018
【図１７】
2006340039.tif 000019